(57)【要約】【課題】共通のブラケットを用いることによって複数の高さを持つブラケットを正確に位置決めすることができ、かつブラケットの幅方向も正確に位置決め可能とする。この一対のブラケットで２種類以上の取付け幅を正確に位置決めすることができ、もって周辺機器をアクチュエータに正確に取付け可能とし、更には、共通のブラケットでアクチュエータのシャフトを手動操作することができるようにすること。【解決手段】スイッチボックス１０の両側取付面１１に挟持させたＬ字型のブラケット１５をスイッチボックス１０の高さ方向に沿って案内自在に設ける。前記ブラケット１５の上端部１６をスイッチボックス１０に設けた突当て面１２ａと突当て突起部１２ｂに選択的に突当て可能に設ける。また、前記ブラケット１５を内向き或は外向きに取付けることによってブラケット１５の取付け幅を変更できるように構成したアクチュエータ搭載用周辺機器の取付構造である。【選択図】          図４
2004218719.tif 000002
【特許請求の範囲】
【請求項１】
アクチュエータに一対のブラケットを介して搭載するスイッチボックス等の周辺機器の取付構造において、周辺機器の両側取付面に挟持させたＬ字型のブラケットを周辺機器の高さ方向に沿って案内自在に設け、前記ブラケットの上端部を周辺機器に複数段に設けた突当て部の適宜位置に突当て可能に設けると共に、前記ブラケットを内向き或は外向きに取付けることによってブラケットの取付け幅を変更できるように構成したことを特徴とするアクチュエータ搭載用周辺機器の取付構造。
【請求項２】
前記周辺機器の取付面にブラケットの両側に設けた案内端を案内するための案内部とブラケットの上端部を突当てるための突当て面と突当て用突起部を設けると共に、ブラケットには、アクチュエータ取付用の取付片と周辺機器の取付面に取付けるための複数個の取付穴を設けた請求項１記載のアクチュエータ搭載用周辺機器の取付構造。
【請求項３】
前記ブラケットを周辺機器に低位置取付けの際に、ブラケットと周辺機器の突当て用突起部を干渉させないための逃げ部をブラケットに形成した請求項１記載のアクチュエータ搭載用周辺機器の取付構造。
【請求項４】
前記ブラケットに、手動操作工具の干渉を防ぐための切欠部を形成した請求項１記載のアクチュエータ搭載用周辺機器の取付構造。
【請求項５】
前記周辺機器は、アクチュエータの開閉位置を電気的に発信するスイッチボックスである請求項１乃至４の何れか１項に記載のアクチュエータ搭載用周辺機器の取付構造。
【発明の詳細な説明】
【０００１】
【発明の属する技術分野】
本発明は、例えば、回転弁駆動用の空気圧式アクチュエータに搭載するためのスイッチボックス等の周辺機器の取付け構造に関する。
【０００２】
【従来の技術】
従来、一般的なスイッチボックスとしては、例えば、図１２〜図１５に示すようなものがある。
図１２に示す方式は、アクチュエータ４にスイッチボックス１Ａを取付ける際、土台２からカバー３を予め外した状態でスイッチボックスシャフト２ａとアクチュエータシャフト４ａを互いに連結しながら固着ボルト５によって土台２とアクチュエータ４を固着し、カバー３を土台２に固着ボルト５ａで固着し、カバー３を土台２と一体化してスイッチボックス１を構成している。
【０００３】
図１３に示す方式は、スイッチボックス１Ｂに断面コ字形のブラケット７をボルト止めし、端部を折曲した折曲部７ａをアクチュエータ４にボルト止めした構造である。
【０００４】
図１４に示す方式は、スイッチボックス１Ｃに脚部８を一体に成型し、脚部８をアクチュエータ４の外側から直接固着ボルト５で固着することでアクチュエータ４にスイッチボックス１Ｃを固着するものである。
また、図１５に示す方式は、Ｌ字ブラケット９に設けたボルト挿通用の挿通穴９ａから固着ボルト９ｂをボルト止めしてＬ字ブラケット９をスイッチボックス１Ｄに固着し、このＬ字ブラケット９をアクチュエータ４にボルト止めした構造である。
【０００５】
【発明が解決しようとする課題】
しかしながら、図１２のスイッチボックス１Ａにおいては、アクチュエータ４に取付ける際に、その都度カバー３を一旦外した後に土台２をアクチュエータ４に固着し、再度カバー３を土台２に取付ける必要があるため、取付け時の作業性が好ましくない。
【０００６】
スイッチボックス１Ａや、或はスイッチボックス１Ｂ、１Ｃ、１Ｄを異なるアクチュエータに取付けようとする場合には、固着ボルト５の取付け間隔、或はスイッチボックスシャフト２ａ、２ｂ、２ｃ及び２ｄの軸径、軸の高さ等の仕様が異なるため、この仕様をアクチュエータ４、アクチュエータシャフト４ａ、４ｂ、４ｃ及び４ｄにそれぞれ対応させるために土台２やブラケット７等の交換やコネクタが別途必要となり、結果的にアクチュエータごとにその都度異なる方式のスイッチボックスが必要となっていた。
【０００７】
例えば、土台２とアクチュエータ４を固着する際には、コネクタ６を用いるか、或は直接シャフト同士を差し込むようにした軸の連結構造にならざるを得ず、この場合、バルブを手動操作する場合には、シャフト２ａのカバー３より上方に突出している部分を手動工具等によって手動回転しなければならなかった。このため、手動操作時のトルクに耐え得るためにシャフト２ａにはある程度の強度が必要となり、シャフト２ａの大径化が避けられなかった。
【０００８】
図１５の場合には、固着ボルト９ｂをスイッチボックス体１Ｄに設けた図示しない雌ねじに螺着した後に、この固着ボルト９ｂと挿通穴９ａの間に隙間が生じるため、左右のＬ字ブラケット９が取付け後に対称にならずに、スイッチボックス体１Ｄがアクチュエータ４に対して斜めに取り付けられたり、取付け後にガタが生じたりして取付時の精度が正確でなくなるおそれがある。
【０００９】
本発明は、従来の課題点を解決するために開発したものであり、その目的とするところは、共通のブラケットを用いることによって複数の高さを持つブラケットを正確に位置決めすることができ、かつブラケットの幅方向も正確に位置決め可能とし、一対のブラケットで２種類の取付け幅を正確に位置決めすることができ、もって周辺機器をアクチュエータに正確に取付け可能とし、更には、共通のブラケットでアクチュエータのシャフトを手動操作することができるようにすることにある。
【００１０】
【課題を解決するための手段】
上記の目的を達成するため、請求項１に係る発明は、アクチュエータに一対のブラケットを介して搭載するスイッチボックス等の周辺機器の取付構造において、周辺機器の両側取付面に挟持させたＬ字型のブラケットを周辺機器の高さ方向に沿って案内自在に設け、前記ブラケットの上端部を周辺機器に複数段に設けた突当て部の適宜位置に突当て可能に設けると共に、前記ブラケットを内向き或は外向きに取付けることによってブラケットの取付け幅を変更できるように構成したアクチュエータ搭載用周辺機器の取付構造である。
【００１１】
請求項２に係る発明は、周辺機器の取付面にブラケットの両側に設けた案内端を案内するための案内部とブラケットの上端部を突当てるための突当て面と突当て用突起部を設けると共に、ブラケットには、アクチュエータ取付用の取付片と周辺機器の取付面に取付けるための複数個の取付穴を設けたアクチュエータ搭載用周辺機器の取付構造である。
【００１２】
請求項３に係る発明は、ブラケットを周辺機器に低位置取付けの際に、ブラケットと周辺機器の突当て用突起部を干渉させないための逃げ部をブラケットに形成したアクチュエータ搭載用周辺機器の取付構造である。
【００１３】
請求項４に係る発明は、ブラケットに、手動操作工具の干渉を防ぐための切欠部を形成したアクチュエータ搭載用周辺機器の取付構造である。
【００１４】
請求項５に係る発明は、周辺機器は、アクチュエータの開閉位置を電気的に発信するスイッチボックスであるアクチュエータ搭載用周辺機器の取付構造である。
【００１５】
【発明の実施の形態】
以下に、本発明におけるアクチュエータ搭載用周辺機器の取付構造を説明する。この種の周辺機器には、スイッチボックス、ポジショナ、インジケータボックス、スピードコントローラ等があるが、本例では、スイッチボックスの一例を図面に基づいて説明する。
図において、１０はスイッチボックスであり、このスイッチボックス１０は、図示しないボールバルブ、バタフライバルブ等の回転弁を回転動作する空気圧式アクチュエータ２０の上部に一対のＬ字型のブラケット１５、１５を介して搭載され、アクチュエータ２０の駆動軸２１と軸着して本体内に収納される図示しないマイクロスイッチ、ポテンショメータなどのスイッチ類によって電気信号を発信してバルブ弁体の開閉状態、或は中間開度等の開度状態等を検出可能に設けるものである。
【００１６】
スイッチボックス１０において、１１はブラケット１５を挟着する両側に形成した取付面であり、この取付面１１には、ブラケット１５の両側に設けた案内端１９、１９を案内するための案内部１４、１４と、ブラケット１５の上端部１６を突当てるための突当て面１２ａと突当て突起部１２ｂからなる突当て部１２を設けている。
一方、ブラケット１５には、アクチュエータ２０に取付用の取付片１７を設け、この取付片１７にボルト２５固着用の取付穴部１７ａを設けている。また、スイッチボックス１０の取付面１１に取付けるための複数個の取付穴１８を設けている。
【００１７】
ブラケット１５は、案内端１９、１９を案内部１４、１４内側に案内させるようにしてスイッチボックス１０の高さ方向に沿って案内自在に設けており、ブラケット１５の上端部１６を複数段に設けた突当て面１２ａ、又は突当て突起部１２ｂの適宜位置に突当て可能に設けている。
また、Ｌ字型のブラケット１５を内向き或は外向きに取付けることによってブラケット１５の取付片１７の位置を変えることにより、ブラケット１５の取付け幅を変更できるように構成している。なお、取付片１７の幅方向に複数の取付穴部１７ａを設け、ブラケット１５の取付幅を２種類以上の複数としてもよい。
【００１８】
ブラケット１５をボデー１０に取付ける場合には、図４に示すようにブラケット１５の案内端１９、１９を案内部１４、１４に案内させながら上端部１６を突当て面１２ａ、又は突当て突起部１２ｂの何れかに突当てた状態にして、ボルト２２によって複数個の取付穴１８のうち、取付面１１に設けためねじ２３に対応する箇所を締付けブラケット１５を取付面１１に密着させて固定する。
【００１９】
図３においては、上端部１６を突当て部１２のうち、突当て面１２ａに突当てた状態でブラケット１５を取付けた状態であり、また、図５においては、突当て突起部１２ｂに突当てた状態で取付けたものである。
１５ａはブラケット１５に形成した逃げ部であり、この逃げ部１５ａによって図５の場合のブラケット１５をスイッチボックス１０に低位置取付けの際に、開口した逃げ部１５ａの中に突起部１２ｂが位置するので、ブラケット１５と突当て突起部１２ｂは干渉することがなく、ブラケット１５を取付面１１に密着させた状態で固定することができる。
このとき、図６に示すように、取付片１７が内向き或は外向きになるようにブラケット１５をスイッチボックス１０に取付けて取付穴部１７ａの間隔を変更することで、ブラケット１５の取付け高さと両ブラケット間の取付け幅の異なる組合せによる取付けが可能になる。
突起部１２ｂは、ブラケット１５を水平に位置決めできればよく、複数であってもよい。本実施例に示した突起部１２ｂの長さは、図７に示すように、ブラケット１５の上端の長さの約１／６としており、ブラケット１５の水平位置決め精度やブラケット１５の強度等を考慮すると約１／６〜１／５の長さが好ましい。
【００２０】
スイッチボックス本体１０をアクチュエータ２０に取付ける場合には、ブラケット１５の取付け高さ及び取付け幅をアクチュータ２０に対して適切な変更でき、シャフト１０ａと駆動軸２１に設けた互いの凹凸部位を直接嵌合するようにしながら軸着した状態でボルト２５によって穴部１７ａを固着すれば、アクチュエータ２０への取付けが完了する。
突当て突起部１２ｂは、取付けるアクチュエータの規格等に即した高さになるように設けるのが望ましいが、この突当て突起部１２ｂを任意の高さに設けたり、更には、突当て突起部１２ｂと取付穴１８、逃げ部１５ａからなる高さ変更の組合せを２箇所以上に設けてブラケット１５の高さが３種類以上の高さに変更可能になるようにしてもよい。
【００２１】
スイッチボックス１０をアクチュエータ２０から取外す場合は、ボルト２５を外してブラケット１５ごと取外すか、或は、ボルト２５を緩めた状態でボルト１９を外してスイッチボックス１０のみを取外すことが可能であるが、例えば、スイッチボックス１０のみを取外す場合、図示しないばねを用いて突当て突起部１２ｂを取付面１１方向に可動させてスイッチボックス１０内に収納可能に設けるようにしておけば、ボルト１９を外すことによってスイッチボックス１０をブラケット１５に対して案内部１４に沿って摺動させることができ、ボルト２５を緩めることなくスイッチボックス１０を取外すことができる。
また、取付片１７付近に例えば、ボルト２５にばね座金を組合せる等してばね性を持たせるようにすれば、ボルト１９を外してボルト２５を緩めたときにブラケット１５を外側方向に開くことが可能になり、スイッチボックス１０の着脱が容易となる。
【００２２】
１５ｂはブラケット１５に設けた切欠部であり、この切欠部１５ｂによってアクチュエータ２０の取付け後に駆動軸２１を図示しない適宜の手動操作工具で回転したときにこの手動操作工具がブラケット１５に干渉しないようにしている。ブラケット１５は単一形状によってボデー１０の左右両側に用いることができるため、ブラケット１５の取付後にはシャフト１０ａを中心に点対称で切欠き部１５ｂが形成される。従って、ブラケット１５は、単一種類で良く、コストの低減を図ることができる。
【００２３】
図９において、２６はバルブの状態を表示可能に設けたインジケータであり、このインジケータ２６は、シャフト１０ａの上側部分にボルト結合やスナップ嵌合等によって着脱可能である。インジケータ２６は樹脂成形によって設けられ、２７はキャップ部、２８は可撓性を有する板状の方向指示片であり、キャップ部２７に設けた孔部２７ａに方向指示片２８をスナップ嵌合によって着脱可能に設けている。
方向指示片２８を装着する際には、下方に延出して設け、板状部よりも可撓性の低い円柱状の突片２８ａをキャップ部２７に設けた孔部２７ａの上方から挿入させ、次いで、鉤状に設けた係止部２８ｂをキャップ部２７側面の係止穴２７ｂに板状部の可撓性を利用して係止させる。方向指示片２８は、装着後に突部２８ａと係止部２８ｂによって容易に外れることがない。
【００２４】
方向指示片２８は、キャップ部２７に形成した４組の孔部２７ａと係止穴２７ｂに対してそれぞれ着脱可能であり、例えば、図１０に示すように対向する孔部２７ａと係止穴２７ｂによる組合せ位置に装着することによってボールバルブやバタフライバルブ等の二方形のバルブ用として用いることはもとより、図１１に示すように３箇所の孔部２７ａと係止穴２７ｂに装着することによって３方弁に利用することができ、このように流路方向又は閉止方向に方向指示片２８を装着することによって使用するバルブに応じて様々な方向の流路表示を表示することができる。この方向指示片２８の色は、キャップ部２７と変えるようにすることによって、より視認性をよくすることもできる。
【００２５】
インジケータ２６は、シャフト１０ａの上端部に設けているため着脱が容易であり、方向指示片２８の変更やインジケータ２６の交換等を簡単に行うことができる。
なお、シャフト１０ａには、インジケータ２６以外にも、図示しないポジショナを設けてバルブを中間開度可能に設けたり、又は調節弁としても使用可能にすることができ、更には、スイッチボックス本体１０を多段に設けるなど、各種の周辺機器をシャフト１０ａに搭載することができ、本発明の取付構造によれば、アクチュエータに対して周辺機器を積み重ねても、周辺機器の正確な位置決めによる取付ができる。
【００２６】
次に、上記実施形態の作用を説明する。
本例のスイッチボックス１０は、両側取付面１１に挟持させたＬ字型のブラケット１５をスイッチボックス１０の高さ方向に沿って案内自在に設け、ブラケット１５の上端部１６をスイッチボックス１０に突当て面１２ａ、突当て突起部１２ｂとして複数段に設けた突当て部１２の適宜位置に突当て可能に設けると共に、ブラケット１５を内向き或は外向きに取付けることによってブラケット１５の取付け幅を変更できるように構成しているので、予め容易にスイッチボックス１０にブラケット１５を取付けた状態にしておくことができ、アクチュエータ２０への取付け時には取付穴部１７ａにおいてボルト２５で固着するだけで容易に取付け作業を行うことができる。
【００２７】
しかも、ブラケット１５の取付け高さと取付け幅を変更可能であるので、スイッチボックス本体１０を交換したり、コネクタを別途必要とすることなく共通のブラケット１５を用いてスイッチボックス１０を仕様の異なるアクチュエータ２０に取付けることができる。
従って、例えば、ＮＡＭＵＲ（ナムール）規格などに対応させることができ、このＮＡＭＵＲ規格において、異なるボルト取付け間隔、シャフト高さの組合せからなる３種類の仕様からなるアクチュエータの何れにも取付けが可能なブラケットを有するスイッチボックスを設けることができる。
【００２８】
アクチュエータへの取付け後には、上端部１６が突当て面１２ａ又は突当て突起部１２ｂに当接した状態でボルト１９によって固着しているため、スイッチボックス１０が斜めになったりガタが生じたりすることがない。
【００２９】
このようにアクチュエータ２０の取付けをブラケット１５を用いて行うようにしているので、シャフト１０ａと駆動軸２１の嵌合を凹凸による簡単な構造の嵌合構造とすることができ、この駆動軸２１を外部から直接手動操作工具で手動操作することができる。従って、シャフト１０ａを縮径することができ、スイッチボックス１０全体を小型化することができる。
【００３０】
【発明の効果】
以上のことから明らかなように、請求項１に係る発明によると、取付け作業性に優れ、取付時には、共通のブラケットを用いることによって複数の高さを持つブラケットを正確に位置決めすることができ、かつブラケットの幅方向も一対のブラケットで複数種類の取付け幅を正確に位置決めすることができる取付構造である。
従って、スイッチボックス等の周辺機器をアクチュエータに正確に取付けすることができ、更には、この共通のブラケットによって取付けを行うことによってアクチュエータのシャフトを手動操作することができ、スイッチボックスのシャフトを細くしてスイッチボックス全体を小型化したり、コストを削減することができるアクチュエータ搭載用周辺機器の取付構造を提供することが可能となる。
【００３１】
請求項２及び３に係る発明によると、ブラケットを任意の高さに取付けてアクチュエータの駆動軸に対応したシャフトの高さにすることができ、確実に所定の取付箇所に位置決めした状態でブラケットを固着して正確な位置決め状態を維持できるアクチュエータ搭載用周辺機器の取付構造を得ることができる。
【００３２】
請求項４に係る発明によると、アクチュエータを容易に手動操作することが可能であり、しかも、例えば、ボールバルブやバタフライバルブを９０°回転する際に、共通のブラケットで手動操作することができる。
【００３３】
請求項５に係る発明によると、周辺機器のうち、アクチュエータの開閉位置を発信して弁体の開閉状態或は中間開度等を検出することができるスイッチボックスの取付構造に好適である。
【図面の簡単な説明】
【図１】スイッチボックスの正面図である。
【図２】ブラケットの取付け状態を示した説明図である。
【図３】スイッチボックスにブラケットを取付けた状態を示した斜視図である。
【図４】ブラケットの取付け状態を示した斜視図である。
【図５】スイッチボックスにブラケットを取付けた状態を示した斜視図である。
【図６】（ａ）ないし（ｃ）は、スイッチボックスへのブラケットの取付け状態を示した状態説明図である。
【図７】図６（ａ）の一部拡大図である。
【図８】図７のＡ−Ａ線端面図である。
【図９】インジケータの一部切欠き正面図である。
【図１０】インジケータの平面図である。
【図１１】インジケータの他例を示す平面図である。
【図１２】従来のスイッチボックスの分解斜視図である。
【図１３】従来のスイッチボックスの概略平面図である。
【図１４】従来のスイッチボックスの他例を示した概略平面図である。
【図１５】従来のスイッチボックスの更に他例を示した概略平面図である。
【符号の説明】
１０  スイッチボックス（周辺機器）
１１  取付面
１２  突当て部
１２ａ  突当て面
１２ｂ  突当て突起部
１４  案内部
１５  ブラケット
１５ａ  逃げ部
１５ｂ  切欠部
１６  上端部
１７  取付片
１８  取付穴
１９  案内端
２０  アクチュエータ
【図１】
2004218719.tif 000003
【図２】
2004218719.tif 000004
【図３】
2004218719.tif 000005
【図４】
2004218719.tif 000006
【図５】
2004218719.tif 000007
【図６】
2004218719.tif 000008
【図７】
2004218719.tif 000009
【図８】
2004218719.tif 000010
【図９】
2004218719.tif 000011
【図１０】
2004218719.tif 000012
【図１１】
2004218719.tif 000013
【図１２】
2004218719.tif 000014
【図１３】
2004218719.tif 000015
【図１４】
2004218719.tif 000016
【図１５】
2004218719.tif 000017